(57)【要約】      （修正有）【課題】使用が簡単で、衣類の損傷を最小化する折り畳み式ハンガーを提供する。【解決手段】連結本体１００と、連結本体１００の両側にそれぞれ回転可能に装着される掛け具２００と、連結本体１００の上端に上下移動可能に装着されるリング部材３００と、リング部材３００の下降時に、掛け具２００を両側に展開されるように回転させる加圧部材４００と、リング部材３００と加圧部材４００との間に装着されて、リング部材３００の下降時に、加圧部材４００を下部に移動させて固定した後、リング部材３００を下方向に再加圧することにより加圧部材４００を上方向に復帰させるボタンユニット５００と、加圧部材４００の下部に配置されて加圧部材４００をリング部材３００の方向に弾性的に支持する弾性部材６００とを含む。【選択図】図２
0003208617.tif 000002
【実用新案登録請求の範囲】
【請求項１】
連結本体（１００）と、
前記連結本体（１００）の両側にそれぞれ回転可能に装着される掛け具（２００）と、
前記連結本体（１００）の上端に上下移動可能に装着されるリング部材（３００）と、
前記リング部材（３００）の下降時に、前記掛け具（２００）を両側に展開されるように回転させる加圧部材（４００）と、
前記リング部材（３００）と前記加圧部材（４００）との間に装着されて、前記リング部材（３００）の下降時に、前記加圧部材（４００）を下部に移動させて固定した後、前記リング部材（３００）を下方向に再加圧することにより前記加圧部材（４００）を上方向に復帰させるボタンユニット（５００）と、
前記加圧部材（４００）の下部に配置されて前記加圧部材（４００）を前記リング部材（３００）の方向に弾性的に支持する弾性部材（６００）とを含み、
前記加圧部材（４００）の両側面には、前記掛け具（２００）の方向に下方へ傾斜するように突出された加圧突起（４１０）が形成され、
前記掛け具（２００）には前記加圧部材（４００）の方向に突出されて、前記加圧部材（４００）の下降時に、前記加圧突起（４１０）と接する支持突起（２１０）が形成され、
前記加圧突起（４１０）は前記加圧部材（４００）の長さ方向に沿って上下に移動可能に装着されて、前記掛け具（２００）の回転角度を調節することを特徴とする折り畳み式ハンガー。
【請求項２】
前記加圧部材（４００）の末端にはラウンド部（４２０）が形成され、
前記掛け具（２００）が下方に折り畳まれた時、前記支持突起（２１０）は、前記加圧突起（４１０）と平行するように上方へ傾斜して配置されるように形成され、
前記支持突起（２１０）の末端には前記加圧突起（４１０）と交差する方向に接触突起（２２０）が突出して形成されることを特徴とする請求項１に記載の折り畳み式ハンガー。
【考案の詳細な説明】
【技術分野】
【０００１】
本考案は折り畳み式ハンガーに関するもので、特にワイシャツや、コート、Ｔシャツ、ポーラティーなどの上着を掛けるためのもので、衣類の肩の部分を支持してクローゼットなどに掛けて置くために用いられる折り畳み式ハンガーに関するものである。
【背景技術】
【０００２】
一般に、ハンガーは左右に長く一体に作られ、両端部に行くほど若干下方に傾斜して形成される三角形のハンガー部と、上記ハンガー部の中央部に設置され、その上部にリング形状をしている回転リング部とからなる。
従って、ハンガー部に衣類の首部分と肩部分を掛けた後、回転リング部をクローゼットや掛け具に掛けて保管する。
【０００３】
ここで、上記ハンガーは、両側の掛け部が固定されているため、Ｔシャツのように首の部分が狭い衣類を掛ける場合、首部分を強制的に伸ばしてハンガーを入れたり、衣類の下からハンガーを入れなければならないため、不便であり、作業時間がたくさんかかるという問題点がある。
【０００４】
また、狭い首部分を強制的に伸ばすため、首部分の形が変わって見掛けが良くなくなり、さらには、身に着けることができないほど損なわれてしまう場合が発生した。
【先行技術文献】
【特許文献】
【０００５】
【特許文献１】韓国登録実用新案第２０−０２１８２３６号
【考案の概要】
【考案が解決しようとする課題】
【０００６】
本考案は上述した問題点を解決するためのものであって、ハンガーの長い両端を縦に長く配置されるように折って、首部分が狭い衣類を首の部分を拡げることなく簡単に掛けることができるようにし、それにより、簡単に使用することができ、衣類の損傷を最小化する折り畳み式ハンガーを提供することにその目的がある。
【課題を解決するための手段】
【０００７】
上記目的を達するために、本考案の折り畳み式ハンガーは、連結本体１００と、上記連結本体１００の両側にそれぞれ回転可能に装着される掛け具２００と、上記連結本体１００の上部に上下移動可能に装着されるリング部材３００と、上記リング部材３００の下降時に上記掛け具２００が両側に広がるように回転させる加圧部材４００と、上記リング部材３００と前記加圧部材４００との間に装着されて、上記リング部材３００の下降時に前記加圧部材４００を下部に移動させて固定した後、上記リング部材３００を下方向に再加圧することにより上記加圧部材４００を上方向に復帰させるボタンユニット５００と、上記加圧部材４００の下部に配置されて、上記加圧部材４００を前記リング部材３００の方向に弾性支持する弾性部材６００とを含む。
【０００８】
上記加圧部材４００の両側には、上記掛け具２００の方向に下方へ傾斜するように突出された加圧突起４１０が形成され、上記掛け具２００には、上記加圧部材４００の方向に突出されて、上記加圧部材４００の下降時に、前記加圧突起４１０と接する支持突起２１０が形成される。
【０００９】
上記加圧部材４００の末端にはラウンド部４２０が形成され、上記掛け具２００が下方向に折られた時、上記支持突起２１０は上記加圧突起４１０と平行するように上方へ傾斜して配置されるように形成され、上記支持突起２１０の末端には上記加圧突起４１０と交差する方向に接触突起２２０が突出して形成される。
【００１０】
上記加圧突起４１０は上記加圧部材４００の長さ方向に沿って上下に移動可能に装着されて上記掛け具２００の回転角度を調節する。
【００１１】
また、別の実施態様においては、上記加圧部材４００の両側には上下方向にラックギア部４５０が形成され、上記掛け具２００には上記ラックギヤ部４５０に噛み合って、上記加圧部材４００の下降時に回転力を発生する回転ギア２５０が形成される。
【考案の効果】
【００１２】
上述の本考案による折り畳み式ハンガーは次のような効果を奏する。
【００１３】
上記リング部材３００を押すことにより上記掛け具２００を折り畳んだり広げることができて、首が狭い服にハンガーを入れる時、首の部分が拡がらないので、使用が便利であり、服が損なわれることを最小化し、服の寿命を増加させるという効果を奏する。
【００１４】
また、上記ボタンユニット５００によりワンタッチ方式で動作するので、使用が便利であり、上記掛け具２００が任意に折れることを防止して耐久性及び品質を向上させるという効果を奏する。
【図面の簡単な説明】
【００１５】
【図１】本考案の第１実施例による折り畳み式ハンガーの斜視図である。
【図２】本考案の第１実施例による折り畳み式ハンガーの展開状態の断面図である。
【図３】本考案の第１実施例による折り畳み式ハンガーの折り畳まれた状態の断面図である。
【図４】本考案の第１実施例による折り畳み式ハンガーの加圧部材４００の高さ調節原理を示す断面図である。
【図５】本考案の第２実施例による折り畳み式ハンガーの展開状態の断面図である。
【図６】本考案の第２実施例による折り畳み式ハンガーの折り畳まれた状態の断面図である。
【考案を実施するための形態】
【実施例１】
【００１６】
第１実施例
図１は本考案の第１実施例による折り畳み式ハンガーの斜視図であり、図２は本考案の第１実施例による折り畳み式ハンガーの展開状態の断面図であり、図３は本考案の第１実施例による折り畳み式ハンガーの折り畳まれた状態の断面図であり、図４は本考案の第１実施例による折り畳み式ハンガーの加圧部材４００の高さ調節原理を示した断面図である。
【００１７】
図１〜図３に示すように、本考案の第１実施例による折り畳み式ハンガーは、連結本体１００、掛け具２００、リング部材３００、加圧部材４００、ボタンユニット５００及び弾性部材６００からなる。
【００１８】
上記連結本体１００は、円筒状の下部と、上記下部の外周面で六面体形に突出した上部とからなる。
【００１９】
上記連結本体１００の下部は下端が開放され、内部に後述する上記掛け具２００の一端が回転可能に装着され、上部には後述するリング部材３００の下端が上下移動可能に装着され、内部には後述する加圧部材４００及びボタンユニット５００が内装される。
【００２０】
上記掛け具２００は長い棒状に形成され、２つで構成されて、一端がそれぞれ上記連結本体１００の下部に回転可能に結合される。
【００２１】
ここで、２つの上記掛け具２００は上記連結本体１００を中心に左右対称に配置される。
また、上記掛け具２００の一端には、後述する加圧部材４００と接して上記掛け具２００を回転させる支持突起２１０が形成される。
【００２２】
上記支持突起２１０は、図２に示すように、上記掛け具２００が下方向に折り畳まれた状態である時、上方へ傾斜するように突出して形成される。
【００２３】
また、上記支持突起２１０の末端には交差する方向に接触突起２２０が形成される。
【００２４】
上記接触突起２２０は、後述する上記加圧部材４００の加圧突起４１０の方向に突出して形成され、上記加圧部材４００の下降時に一番最初に上記加圧突起４１０と接して上記加圧部材４００の下降力をテコの原理を利用して上記掛け具２００の回転力に変換させる機能をする。
【００２５】
このように、上記支持突起２１０の末端に上記接触突起２２０が備えることにより、上記加圧部材４００の下降時に、上記掛け具２００が円滑に回転してスムーズに動作するようにする効果を奏する。
【００２６】
一方、上記リング部材３００は、一般的なハンガーの上端部分と同様に上部がフック状に折り曲げられており、下端は円筒状の軸状に形成されて上記連結本体１００の上部に上下に移動可能に挿入して装着される。
【００２７】
このような上記リング部材３００は、一般的なハンガーと同様に、クローゼットなどの支持棒に掛けておくために用いられる。
【００２８】
一方、上記加圧部材４００は上下に長い棒状であり、上記連結本体１００の上部と下部にかけて長く形成され、上下に移動可能に設置される。
【００２９】
このような上記加圧部材４００は、上端が後述する上記ボタンユニット５００により上記リング部材３００と連結され、下端が後述する上記弾性部材６００によって上方向に弾性的に支持される。
【００３０】
また、上記加圧部材４００の中間部分の両側には、上記支持突起２１０と平行するように下方へ傾斜して上記加圧突起４１０が突出して形成される。
【００３１】
上記加圧突起４１０は、図２に示すように、上記掛け具２００が折り畳まれた状態である時、上記加圧突起４１０とほぼ平行になるように下方へ傾斜して形成され、末端には丸くラウンド部４２０が形成される。
【００３２】
このような上記加圧突起４１０は、上記リング部材３００の下降時に下降して上記支持突起２１０を加圧し、上記掛け具２００を両側に展開されるように回転させる。
【００３３】
一方、上記ボタンユニット５００は、上記リング部材３００と上記加圧部材４００との間に装着されて、上記リング部材３００の下降時に、上記加圧部材４００を下部に移動させて固定した後上記リング部材３００を下方向に再加圧することにより上記加圧部材４００を上方向に復帰されるようにする。
【００３４】
このような上記ボタンユニット５００は、一般的なボールペンで芯を引出するボタンの構造と同様に構成されたもので、大韓民国公開実用新案第２０−１９９８−０５６４３４号に記載された加圧体３、動作体２、動作案内溝１０３及び係止突起１０２と同様に構成されるため、詳細な説明は省略する。
【００３５】
一方、上記弾性部材６００は圧縮コイルスプリングからなり、上記加圧部材４００の下部に配置されて上記加圧部材４００を上記リング部材３００の方向に弾性的に支持する。
【００３６】
上記の構成からなる本考案の第１実施例による折り畳み式ハンガーは、図２に示すように、上記掛け具２００が下方に折り畳まれた状態である時、上記加圧部材４００は、上記弾性部材６００によって上方向に支持されて上記加圧突起４１０と上記支持突起２１０は離間された状態で配置される。
【００３７】
このような状態で、図３に示すように、上記リング部材３００を下方に一度加圧すると、上記ボタンユニット５００が下方に移動しながら、上記加圧部材４００を下方向に移動させ、上記加圧突起４１０は、上記接触突起２２０及び上記支持突起２１０が順次に接しながら、上記掛け具を矢印の方向に回転させる。
【００３８】
ここで、上記弾性部材６００は上記加圧部材４００の下降によって圧縮され、上記ボタンユニット５００は上記加圧部材４００が上方向に移動しないように、上記加圧部材４００を押した状態で固定される。
【００３９】
その後、上記リング部材３００を下方向に再加圧すれば、上記ボタンユニット５００は、上記加圧部材４００をそれ以上押さないようにし、上記加圧部材４００は、上記弾性部材６００の弾性復元力によって上方に移動し、それにより、上記掛け具２００は、図２に示すように、再び折り畳まれた状態になる。
【００４０】
このように、本考案の第１実施例による折り畳み式ハンガーは、上記リング部材３００を押すことによって上記掛け具２００を折り畳んだり広げることができて、首の狭い服にハンガーを入れる時に首部が拡がらなくなるので、服が損なわれることを最小化し、服の寿命を増加させるという効果を奏する。
【００４１】
また、上記ボタンユニット５００によりワンタッチ方式で動作するので、使用が便利であり、上記掛け具２００が任意に折り畳まれることを防止して、耐久性及び品質を向上させるという効果を奏する。
【００４２】
一方、場合によっては、上記加圧突起４１０は上記加圧部材４００に沿って上下に移動して高さ調節可能に構成されることもできる。
【００４３】
即ち、図４に示すように、上記加圧突起４１０を上記加圧部材４００に沿って上下にスライドされるように装着し、ボルトとナットなどの締付部材を備えて上記加圧突起４１０の位置を決めた後、上記加圧部材４００に固定することができる。
【００４４】
この場合、上記加圧突起４１０の高さを調節することにより、上記掛け具２００が展開される角度を使用者が自由に変更することができて、多様な大きさの衣類に適用することができるので、互換性を向上させるという効果を奏する。
【実施例２】
【００４５】
第２実施例
図５は本考案の第２実施例による折り畳み式ハンガーの展開状態の断面図であり、図６は本考案の第２実施例による折り畳み式ハンガーの折り畳まれた状態の断面図である。
【００４６】
図５〜図６に示すように、本考案の第２実施例による折り畳み式ハンガーは、連結本体１００、掛け具２００、リング部材３００、加圧部材４００、ボタンユニット５００及び弾性部材６００からなる。
【００４７】
ここで、第２実施例による上記連結本体１００、上記リング部材３００、上記ボタンユニット５００及び上記弾性部材６００は第１実施例の上記連結本体１００、上記リング部材３００、上記ボタンユニット５００及び上記弾性部材６００とそれぞれ同一であるため、これらの説明は省略する。
【００４８】
第２実施例による上記掛け具２００は、第１実施例の上記掛け具２００の一端に形成された上記支持突起２１０と、上記接触突起２２０の代わりに回転ギア２５０が形成されたことを除いて、第１実施例による上記掛け具２００と同一である。
【００４９】
上記回転ギア２５０は一般的な円形の平歯車で、上記掛け具２００の一端に装着されて上記掛け具２００と一緒に回転される。
【００５０】
また、第２実施例による上記加圧部材４００は、第１実施例による上記加圧部材４００の中間部分に形成された上記加圧突起４１０の代わりにラックギア部４５０が形成されたことを除いて、第１実施例による上記加圧部材４００と同一である。
【００５１】
上記ラックギア部４５０は、上記加圧部材４００の両側にそれぞれ形成され、上記回転ギア２５０と噛み合って装着される。
【００５２】
上記の構成からなる第２実施例による折り畳み式ハンガーは、図５及び図６に示すように、上記加圧部材４００が下降すると、上記ラックギア部４５０により上記回転ギア２５０がそれぞれ回転して上記掛け具２００を折り畳む。
【００５３】
このように、上記掛け具２００に上記回転ギア２５０が具備され、上記加圧部材４００に上記ラックギヤ部４５０が備えられることにより、回転力をより良好に伝達して、耐久性及び品質を向上させるという効果を奏する。
【００５４】
本考案はこれに限定されず、以下の特許請求範囲の思想及び領域を逸脱しない範囲内で本考案が属する技術分野において通常の智識を有する者によって様々な形態に変形して実施されることができる。従って、このような変形は本考案の領域内にあるものと解釈すべきである。
【符号の説明】
【００５５】
１００  連結本体
２００  掛け具
２１０  支持突起
２２０  接触突起
３００  リング部材
４００  加圧部材
４１０  加圧突起
４２０  ラウンド部
５００  ボタンユニット
６００  弾性部材
２５０  回転ギア
４５０  ラックギア部
【図１】
0003208617.tif 000003
【図２】
0003208617.tif 000004
【図３】
0003208617.tif 000005
【図４】
0003208617.tif 000006
【図５】
0003208617.tif 000007
【図６】
0003208617.tif 000008